(57)【要約】【課題】基板の伸縮による第２接触部の基板に対する位置ずれを抑制する。【解決手段】蛍光管２１の電極２１１とプリント基板とを導通させるコンタクト３は、固定部３１と、蛍光管２１の電極２１１に接触する第１接触部３３と、プリント基板の挿入部に接触する第２接触部３４と、蛍光管２１の長手方向Ｌへ第１接触部３３が移動可能なように、固定部３１と第１接触部３３とを連結する第１連結部３４とを備えている。プリント基板の平面と平行で長手方向Ｌと直交する第１方向Ｄ１へ第２接触部３４が移動可能なように、固定部３１と第２接触部３４とを第２連結部３６で連結した。【選択図】図５
2011018595.tif 000002
【特許請求の範囲】
【請求項１】
蛍光管の電極と基板とを導通させるコンタクトにおいて、
固定部と、前記蛍光管の電極に接触する第１接触部と、前記基板の一部分に接触する第２接触部と、前記蛍光管の長手方向へ前記第１接触部が移動可能なように、前記固定部と前記第１接触部とを連結する第１連結部とを備えているコンタクトにおいて、
前記基板の平面と平行で前記長手方向と直交する第１方向へ前記第２接触部が移動可能なように、前記固定部と前記第２接触部とを連結する第２連結部を備えている
ことを特徴とするコンタクト。
【請求項２】
前記固定部と前記第１接触部とが前記長手方向に沿って並ぶとともに、前記固定部が前記第１接触部の前記蛍光管側と反対側に位置している
ことを特徴とする請求項１記載のコンタクト。
【請求項３】
前記第２連結部が、前記固定部に連なる前記第１方向と平行な第１水平部と、この第１水平部に連なり、前記長手方向と前記第１方向とに直交する第２方向と平行な第１垂直部と、この第１垂直部に連なり前記第１方向と平行な第２水平部と、この第２水平部に連なり前記第２方向と平行な第２垂直部とを有していることを特徴とする請求項１又は２記載のコンタクト。
【請求項４】
前記第２接触部が前記長手方向に沿って前記第２垂直部に連なることを特徴とする請求項３記載のコンタクト。
【請求項５】
前記第２水平部が、前記第１方向に沿って伸縮可能なジグザグ状であることを特徴とする請求項１〜４のいずれか１項記載のコンタクト。
【請求項６】
前記第２接触部が前記第２方向から挟持するクリップ状であることを特徴とする請求項１〜５のいずれか１項記載のコンタクト。
【請求項７】
請求項１〜６のいずれか１項記載のコンタクトを収容し、前記固定部が固定されるとともに、前記基板の一部分を受け容れる固定ハウジングを備えていることを特徴とするコネクタ。
【請求項８】
前記固定ハウジング内に移動可能に装着され、前記第１接触部に前記蛍光管の電極との接触力を与える可動ハウジングを備えていることを特徴とする請求項７記載のコネクタ。
【発明の詳細な説明】
【技術分野】
【０００１】
この発明はコンタクト及びコネクタに関し、例えば液晶表示装置のバックライトとして利用される蛍光管とプリント基板とを電気的に接続させるコンタクト及びコネクタに関する。
【背景技術】
【０００２】
従来、端子と固定ハウジングと可動ハウジングと蓋体とを備えるコネクタが知られている（下記特許文献１参照）。
【０００３】
端子は固定部とリード支持固定部と基板接触部と伸縮吸収部とを有する。固定部は固定ハウジングに固定される。リード支持固定部はほぼ音叉状であり、蛍光管のリードに接触し、リードを支持する。基板接触部はインバータ基板の一部分に接触する。伸縮吸収部は蛍光管の長手方向へリード支持固定部が移動可能なように、固定部とリード支持固定部とを連結する。
【０００４】
固定ハウジングは端子を収容し、端子の固定部が固定されるとともに、インバータ基板の一部分を受け容れる。
【０００５】
可動ハウジングは固定ハウジングに移動可能に装着される。
【０００６】
蓋体は可動ハウジングに回転可能に取り付けられる。
【０００７】
上述のコネクタを用いてインバータ基板と蛍光管とを電気的に接続させるには、まず、固定ハウジングの基板挿入口にインバータ基板の一部を挿入し、インバータ基板を端子の基板接触部に接触させる。
【０００８】
次に、蓋体を回転させて蓋体を開き、可動ハウジングの上方から端子のリード支持固定部に蛍光管のリード線を接触させる。
【０００９】
その後、蓋体を逆方向へ回転させて蓋体を閉じる。このとき、蓋体の内面はリード支持固定部を押圧し、リード支持固定部はリードを挟持する。その結果、インバータ基板と蛍光管とが電気的に接続され、インバータ基板から蛍光管に電力が供給され、蛍光管が点灯する。
【００１０】
蛍光管が点灯すると、蛍光管に熱が発生し、その熱によって蛍光管がその長手方向へ熱膨張する。
【００１１】
蛍光管の熱膨張に応じて端子の伸縮吸収部が蛍光管の長手方向へ伸長するため、蛍光管の熱膨張に端子のリード支持固定部が追随し、蛍光管の破損が起きにくくなる。
【先行技術文献】
【特許文献】
【００１２】
【特許文献１】特開２００８−２０４６５７号公報
【発明の概要】
【発明が解決しようとする課題】
【００１３】
上述のコネクタでは、インバータ基板が熱膨張したとき、基板接触部が固定部に対し固定関係にあるためインバータ基板上を相対的に摺動し、基板接触部の表面やインバータ基板の表面が削れ、基板接触部とインバータ基板との間の電気抵抗が高くなるという問題が生じる。
【００１４】
この発明はこのような事情に鑑みてなされたもので、その課題は基板の熱膨張による第２接触部の基板に対する位置ずれを抑制することができるコンタクト及びコネクタを提供することである。
【課題を解決するための手段】
【００１５】
前述の課題を解決するため請求項１の発明は、蛍光管の電極と基板とを導通させるコンタクトにおいて、固定部と、前記蛍光管の電極に接触する第１接触部と、前記基板の一部分に接触する第２接触部と、前記蛍光管の長手方向へ前記第１接触部が移動可能なように、前記固定部と前記第１接触部とを連結する第１連結部とを備えているコンタクトにおいて、前記基板の平面と平行で前記長手方向と直交する第１方向へ前記第２接触部が移動可能なように、前記固定部と前記第２接触部とを連結する第２連結部を備えていることを特徴とする。
【００１６】
上述のように、基板の平面と平行で前記長手方向と直交する第１方向へ第２接触部が移動可能なように、固定部と第２接触部とを連結する第２連結部を備えているので、基板の第１方向の熱膨張、熱収縮に応じて第２接触部が追随移動する。
【００１７】
請求項２の発明は、請求項１記載のコンタクトにおいて、前記固定部と前記第１接触部とが前記長手方向に沿って並ぶとともに、前記固定部が前記第１接触部の前記蛍光管側と反対側に位置していることを特徴とする。
【００１８】
請求項３の発明は、請求項１又は２記載のコンタクトにおいて、前記第２連結部が、前記固定部に連なる前記第１方向と平行な第１水平部と、この第１水平部に連なり、前記長手方向と前記第１方向とに直交する第２方向と平行な第１垂直部と、この第１垂直部に連なり前記第１方向と平行な第２水平部と、この第２水平部に連なり前記第２方向と平行な第２垂直部とを有していることを特徴とする。
【００１９】
請求項４の発明は、請求項３記載のコンタクトにおいて、前記第２接触部が前記長手方向に沿って前記第２垂直部に連なることを特徴とする。
【００２０】
請求項５の発明は、請求項１〜４のいずれか１項記載のコンタクトにおいて、前記第２水平部が、前記第１方向に沿って伸縮可能なジグザグ状であることを特徴とする。
【００２１】
請求項６の発明は、請求項１〜５のいずれか１項記載のコンタクトにおいて、前記第２接触部が前記第２方向から挟持するクリップ状であることを特徴とする。
【００２２】
請求項７の発明のコネクタは、請求項１〜６のいずれか１項記載のコンタクトを収容し、前記固定部が固定されるとともに、前記基板の一部分を受け容れる固定ハウジングを備えていることを特徴とする。
【００２３】
請求項８の発明は、請求項７記載のコネクタにおいて、前記固定ハウジング内に移動可能に装着され、前記第１接触部に前記蛍光管の電極との接触力を与える可動ハウジングを備えていることを特徴とする。
【発明の効果】
【００２４】
この発明によれば、基板の熱膨張、熱収縮による第２接触部の基板に対する位置ずれを抑制することができる。
【図面の簡単な説明】
【００２５】
【図１】図１は第１実施形態に係るコネクタの使用状態を示す斜視図である。
【図２】図２は図１に示すコネクタ、蛍光管、プリント基板及び背面板を分離した状態を示す斜視図である。
【図３】図１に示すコネクタの分解斜視図である。
【図４】図１に示すコネクタのコンタクトの斜視図である。
【図５】図１に示すコネクタの一対のコンタクトに蛍光管を接続した状態を示す斜視図である。
【図６】図６は図１に示すコネクタの右側部をプリント基板等ともに切断した状態を示す斜視図である。
【図７】図７は図１に示すコネクタの後部をプリント基板等ともに切断した状態を示す斜視図である。
【図８】図８は図１に示すコネクタ等の縦断面図である。
【図９】図９は図２に示すコネクタを背面板に取り付けた状態を示す正面図である（但し、背面板は切断されている。）。
【図１０】図１０は図９に示すコネクタの側面図である。
【図１１】図１１は図１に示すコネクタのコンタクトと固定ハウジングの関係を示す斜視図である。
【図１２】図１２は図１に示すコネクタの可動ハウジングが固定ハウジングに押し込まれる前の状態の断面図である。
【図１３】図１３は図１に示すコネクタの可動ハウジングが固定ハウジングに押し込まれた後の状態の断面図である。
【図１４】図１４はこの発明の第２実施形態に係るコネクタのコンタクトの斜視図である。
【発明を実施するための形態】
【００２６】
以下、この発明の実施の形態を図面に基づいて説明する。図１、図２、図５、図６、図１１中には、蛍光管２１の全体が描かれておらず、蛍光管２１の一端部だけが描かれている。
【００２７】
この発明の第１実施形態のコネクタを図１〜図１３に基づいて説明する。
【００２８】
なお、この実施形態では、蛍光管２１の長手方向Ｌを前後方向、蛍光管２１の長手方向Ｌと直交する第１の方向Ｄ１を左右方向、蛍光管２１の長手方向Ｌ及び第１の方向Ｄ１と直交する第２の方向Ｄ２を上下方向として適宜使用し説明する。
【００２９】
図１、図２に示すように、コネクタ１は背面板２３に取り付けられ、蛍光管２１の電極２１１とプリント基板（基板）２２とを電気的に接続させるものである。
【００３０】
図３に示すように、コネクタ１は一対のコンタクト３，３´と固定ハウジング５と可動ハウジング７とを備える。
【００３１】
図４に示すように、コンタクト３は固定部３１と第１接触部３３と第２接触部３４と第１連結部３５と第２連結部３６とを有する。コンタクト３は導電性及び弾性を有する１つの金属板に打抜き加工及び曲げ加工を施すことによって形成されている。
【００３２】
固定部３１はほぼ板状であり、上下方向に延び、板面が前後方向を向いており、左右両側部に４つの突起３１ａを有する。
【００３３】
第１接触部３３はほぼｒ字形であり、蛍光管２１の電極２１１を挟んで、電極２１１と接触する。第１接触部３３は第１接触片３３１と第２接触片３３２と係合片３３３とを有する。第１接触片３３１は平板状である。第１接触片３３１と第２接触片３３２は上下方向に延び、その下半部は互いに重ね合わされている。第２接触片３３２の上半部は第１接触片３３１から離れるように中間部で折り曲げられている。第２接触片３３２の中間部の折り曲げ部は第１接触片３３１との間で蛍光管２１の電極２１１を挟み込むことができるように曲げ形成されて電極挟持部３３４を形成している。第２接触片３３２の下端は第１接触片３３１の下端に連なる。係合片３３３は第２接触片３３２の上端に連なり、斜め下方へ折り曲げられている。
【００３４】
第２接触部３４はほぼクリップ状であり、プリント基板２２の挿入部（一部分）２２２を第２方向Ｄ２（上下方向）から挟持する。第２接触部３４は第１接触片３４１と第２接触片３４２と連結片３４３とを有する。第１接触片３４１と第２接触片３４２とは上下方向で対向し前後方向に延びている。第１接触片３４１は前端部に挿入部２２２の上面と接触する接触部３４１ａを有する。第２接触片３４２は前端部に挿入部２２２の下面に接触する接触部３４２ａを有する。連結片３４３は第１接触片３４１と第２接触片３４２の後端部間を連結する。
【００３５】
第１連結部３５は、蛍光管２１の長手方向Ｌ（前後方向）へ第１接触部３３が移動可能なように、固定部３１と第１接触部３３とを連結する。第１連結部３５は第１板状部３５１と伸縮部３５２と第２板状部３５３と第３板状部３５４とを有する。第１板状部３５１は固定部３１の下端部に連なり、固定部３１に対して板面が直角である。伸縮部３５２はジグザグ状（蛇行しながら蛍光管２１の長手方向Ｌへ延びる形状）であり、第１板状部３５１に連なる。第２板状部３５３は伸縮部３５２に連なり、前側部分がＬ字形に折り曲げられて上方に立ち上がる立ち上がり板部３５３ａを形成している。第１板状部３５１、伸縮部３５２、第２板状部３５３は、固定部３１から前方に向けて連設されている。第３板状部３５４は第２板状部３５３の立ち上がり板部３５３ａの右側側部から伸縮部３５２の側方に沿って後方に延び、第２接触片３３２の下側の一側側部と連結する。
【００３６】
第２連結部３６は、プリント基板２２と平行で第１方向Ｄ１（左右方向）へ第２接触部３４が移動可能なように、固定部３１と第２接触部３４とを連結する。第２連結部３６は、四角枠状で、第１水平部３６１と第１垂直部３６２と第２水平部３６３と第２垂直部３６４とを有する。第１水平部３６１は板状であり、第１板状部３５１に連なり、その左側側部から左方に延びている。第１垂直部３６２は板状であり、第１水平部３６１の左端に連なり、その連結部で直角に折り曲げられて下方に延びている。第２水平部３６３は板状であり、第１垂直部３６２の下端に連なり、その連結部で直角に折り曲げられて右方に延びている。第２垂直部３６４は板状であり、第２水平部３６３の右端に連なり、その連結部で直角に折り曲げられて上方に延びている。第２垂直部３６４は前側側部が前方にやや張り出しており、その前側側部に第２接触部３４の連結片３４３の右側側部が連結されている。第２接触部３４は第２連結部３６の前方に位置し、第１垂直部３６２が第１方向Ｄ１（左右方向）に弾性（撓み）変形することで左右方向に移動可能である。
【００３７】
固定部３１と第１接触部３３とが長手方向Ｌ（前後方向）に沿って並ぶ。固定部３１は第１接触部３３の蛍光管配置側（蛍光管２１が配置されている側）と反対側（蛍光管２１が配置されていない側）に位置している。つまり、固定部３１は第１接触部３３の後方に位置している。
【００３８】
図５に示すように、コンタクト３´の形状はコンタクト３を鏡に映したときその鏡に映し出された形状と同じ左右対称形状であり、コンタクト３´の基本的な構造はコンタクト３の構造と共通する。したがって、コンタクト３と共通する部分には同一符号を付して、その説明を省略する。
【００３９】
図３、図６〜図１２に示すように、固定ハウジング５は一対のコンタクト３，３´を収容する。固定ハウジング５にはコンタクト３，３´の固定部３１が固定される。
【００４０】
固定ハウジング５は箱状で、上方に開口した開口部５０と基板挿入孔５１と段差面５２と一対の突起部５３，５３と切欠き５４と一対の圧入部５５，５５とを有する。基板挿入孔５１は固定ハウジング５の前壁下部に形成されている。基板挿入孔５１を通じてプリント基板２２の挿入部２２２が固定ハウジング５内に挿入される。段差面５２は固定ハウジング５の前壁、後壁、及び左右側壁からなる外周面に形成され、背面板２３の窓孔２３１の周辺部に支持される。一対の突起部５３，５３は固定ハウジング５の左右両側壁面に形成されている。突起部５３，５３は背面板２３の窓孔２３１の周辺部に対向する。切欠き５４は固定ハウジング５の前壁上端に形成され、蛍光管２１を接続する際に固定ハウジング５と蛍光管２１との干渉を避ける。一対の圧入部５５は固定ハウジング５の後壁内面に形成されている。圧入部５５，５５は上下に延びる凹溝で、その左右側壁部に設けた圧入溝５５ａに固定部３１の両側部を圧入し突起３１ａを食い込ますことで、コンタクト３，３´を開口部５０内に固定している。このとき、コンタクト３，３´の第２接触部３４の接触部３４１ａ、３４２ａは基板挿入孔５１に臨んでおり、基板挿入孔５１を介して接触部３４１ａ、３４２ａ間にプリント基板２２の挿入部２２２を挿入し接続する。
【００４１】
可動ハウジング７は固定ハウジング５の開口部５０内に上下方向及び前後方向に移動可能に装着され、コンタクト３，３´の第１接触部３３，３３に蛍光管２１の電極２１１，２１１との接触力を与えると共に、蛍光管２１の長手方向Ｌ（前後方向）への熱膨張及び熱収縮により生じる第１接触部３３の同方向への移動を許容する。
【００４２】
可動ハウジング７は、中央壁７５を挟んで前側に蛍光管収容室７４、後側に一対の第１接触部収容室７１，７１を有する。
【００４３】
蛍光管収容室７４は、上面及び前面が開放されており、蛍光管２１の接続時にその端部を収容する。
【００４４】
第１接触部収容室７１，７１は上下に貫通した貫通穴であり、仕切り壁７２により左右に仕切られている。第１接触部収容室７１，７１はコンタクト３，３´の第１接触部３３を収容する。第１接触部収容室７１，７１の仕切り壁７２と対向する外側の内面は、上側の面７１１ｂと下側の面７１１ｃに段差を設けその間を傾斜面７１１ａで接続したカム面７１１を形成している。すなわち、下側の面７１１ｃが上側の面７１１ｂよりも外側に向けて一段低く形成されており、その間を傾斜面７１１ａで接続している。
【００４５】
中央壁７３には、仕切り壁７２の両側面に沿うようにして上端から下方に向けて形成された一対の電極挿通溝７３，７３を有する。電極挿通溝７３，７３は、蛍光管２１をコンタクト３，３´に接続する際に、蛍光管２１の電極２１１，２１１との干渉を避ける逃げ溝となる。
【００４６】
図９、図１０に示すように、固定ハウジング５の下部を背面板２３の窓孔２３１に挿入すると、段差面５２の下面と突起部５３の上面とで背面板２３の窓孔２３１の周辺部分が挟まれる。その結果、固定ハウジング５は背面板２３に固定される。
【００４７】
次に、上述のコネクタの使用法を説明する。
【００４８】
図１２に示すように、可動ハウジング７の下部を固定ハウジング５の開口部５０に挿入し、可動ハウジング７の第１接触部収容室７１，７１にコンタクト３，３´の第１接触部３３，３３を収容する。このとき、可動ハウジング７の電極挿通溝７３は、電極挟持部３３４を含む第１接触片３３１と第２接触片３３２との間の空間部に対向している。
【００４９】
可動ハウジング７は固定ハウジング５内で上下方向及び前後方向に移動可能である。
【００５０】
可動ハウジング７は、コンタクト３，３´の第１接触片３３１が仕切り壁７２の側面に沿い、係合片３３３の先端がカム面７１１に接しつつ、上下動する。
【００５１】
また、第１接触片３３１と第２接触片３３２の間の電極挿入部３３５が電極挿通溝７３に対向しつつ、上下動する。
【００５２】
上述のコネクタ１の使用に際しては、まず、図１２に示すように、第１接触片３３１と第２接触片３３２との間に蛍光管２１の電極２１１を入れ電極挟持部３３４に配置する。このとき、蛍光管２１の端部は固定ハウジング５の切欠き５４及び可動ハウジングの蛍光管収容室７４に入り、電極２１１は電極挿通溝７３を通して第１接触片３３１と第２接触片３３２との間に入る。また、可動ハウジング７のカム面７１１の下側の面７７１ｃにコンタクト３，３´の係合片３３３の先端部が位置し且つ傾斜面７１１ａに当接係合して可動ハウジング７の上半部が固定ハウジング５の上方に突出した状態にある。
【００５３】
次に、可動ハウジング７を押し下げる。すると、図１３に示すように、係合片３３３の先端がカム面７１１の下側の面７１１ｃから傾斜面７１１ａを通って上側の面７１１ｂに乗り上げる。その結果、第２接触片３３２の先端が第１接触片３３１側に押圧移動され、電極挟持部３３４において蛍光管２１の電極２１１が第１接触片３３１と第２接触片３３２の間に挟み込まれるようにして接触し電気的に接続する。その結果、蛍光管２１とプリント基板２２とが導通し、蛍光管２１が点灯する。
【００５４】
なお、この可動ハウジング７の押し下げ状態において、係合片３３３の先端が傾斜面７１１ａと上側の面７１１ｂとの接続部に設けた係合突起７１１ｄに係合し、その押し下げ状態を保持する。また、可動ハウジング７の下面はコンタクト３，３´の伸縮部３５２に近接対向し、第３板状部３５４が下壁に設けた逃げ溝７６に入る。
【００５５】
第１実施形態によれば、蛍光管２１が熱膨張し、電極２１１が長手方向Ｌに沿って伸長したとき、コンタクト３，３´の伸縮部３５２が伸長し、第１接触部３３及びこれを収納した可動ハウジング７が固定ハウジング５に対し蛍光管２１の長手方向Ｌである前後方向に移動するため、第１接触部３３が電極２１１の動きに追従する。その結果、蛍光管２１の熱膨張による破損を防止できる。
【００５６】
また、蛍光管２１の発熱によりプリント基板２２はプリント基板２２の長手方向となる第１方向Ｄ１（左右方向）へ熱膨張し、プリント基板２２上のパッド等（図示せず）が移動するが、第２連結部３６の第１垂直部３６２が撓むため、第２接触部３４がパッドの動きに追従する。その結果、第２接触部３４によってパッドが削られるのを防止できるとともに、第２接触部３４とパッドとの位置ずれを防止でき、電気抵抗が増えるのを抑制できる。
【００５７】
また、四角枠上の第２連結部３６の第２垂直部３６４に第２接触部３４の連結片３４３を接続して第２連結部３６と第２接触部３４とを長手方向Ｌ（前後方向）に沿って並べているので、第１垂直部３６２の長さを比較的長くしてその弾性（撓み）変形能力を高め、第２接触部３４の移動追随生を高めても、コンタクト３の高さを低くでき、コンタクト１の低背化を達成できる。
【００５８】
更に、固定部３１が第１接触部３３の蛍光管２１配置側と反対側（後方）に位置し、固定部３１と第１接触部３３とを長手方向（前後方向）に沿って並べているので、コンタクト３の高さをさらに低くすることができ、コネクタ１の小型化を達成できる。
【００５９】
また、第２接触部３４がクリップ状であるので、プリント基板２２の挿入部２２２をより確実に挟持できる。
【００６０】
この発明の第２実施形態のコネクタのコンタクト２０３を図１４に基づいて説明する。第１実施形態と共通する部分には同一符号を付して、その説明を省略する。
【００６１】
第２実施形態のコネクタのコンタクト２０３は、第２連結部２３６が第１実施形態のコネクタ１のコンタクト３と異なる。
【００６２】
第２連結部２３６は第１水平部３６１と第１垂直部２３６２と第２水平部２３６３と第２水平部２３６４とで構成されている。第１垂直部２３６２の上端は第１水平部３６１に連なり、第１垂直部２３６２の下端は第２水平部２３６３の左端に連なる。第２水平部２３６３はジグザグ状に形成されている。第２垂直部２３６４の上端は第２水平部２３６３の右端に連なり、第２垂直部２３６４の前側側部に第２接触部３４の連結片３４３の右側側部が連結されている。
【００６３】
第１実施形態では、主に第１垂直部３６２がその厚さ方向へ撓むことによって第２接触部３４が第１方向Ｄ１（左右方向）のプリント基板２２の熱膨張に追従できるように構成されているが、第２実施形態では、主に第２水平部２３６３が第１方向Ｄ１（左右方向）へ伸長、収縮することによってプリント基板２２の熱膨張に追従できるように構成されている。
【００６４】
第２実施形態によれば、第１実施形態と同様の効果を奏する。
【００６５】
なお、第１、第２実施形態のコネクタ１は固定ハウジング５と可動ハウジング７とを備えるが、例えば、コンタクト３，２０３の固定部３１を直接背面板２１に固定させるようにすれば、固定ハウジング５及び可動ハウジング７を省略することもできるし、また、固定ハウジング５又は可動ハウジング７の一方を採用することもできる。
【符号の説明】
【００６６】
１  コネクタ
３，２０３  コンタクト
３１  固定部
３３  第１接触部
３４  第２接触部
３５  第１連結部
３６，２３６  第２連結部
３６１  第１水平部
３６２，２３６２  第１垂直部
３６３，２３６３  第２水平部
３６４，２３６４  第２垂直部
５  固定ハウジング
７  可動ハウジング
２１  蛍光管
２１１  電極
２２  プリント基板
２２２  挿入部
【図１】
2011018595.tif 000003
【図２】
2011018595.tif 000004
【図３】
2011018595.tif 000005
【図４】
2011018595.tif 000006
【図５】
2011018595.tif 000007
【図６】
2011018595.tif 000008
【図７】
2011018595.tif 000009
【図８】
2011018595.tif 000010
【図９】
2011018595.tif 000011
【図１０】
2011018595.tif 000012
【図１１】
2011018595.tif 000013
【図１２】
2011018595.tif 000014
【図１３】
2011018595.tif 000015
【図１４】
2011018595.tif 000016
【手続補正書】
【提出日】平成21年9月29日(2009.9.29)
【手続補正１】
【補正対象書類名】明細書
【補正対象項目名】全文
【補正方法】変更
【補正の内容】
【発明の詳細な説明】
【技術分野】
【０００１】
この発明はコンタクト及びコネクタに関し、例えば液晶表示装置のバックライトとして利用される蛍光管とプリント基板とを電気的に接続させるコンタクト及びコネクタに関する。
【背景技術】
【０００２】
従来、端子と固定ハウジングと可動ハウジングと蓋体とを備えるコネクタが知られている（下記特許文献１参照）。
【０００３】
端子は固定部とリード支持固定部と基板接触部と伸縮吸収部とを有する。固定部は固定ハウジングに固定される。リード支持固定部はほぼ音叉状であり、蛍光管のリード線に接触し、リード線を支持する。基板接触部はインバータ基板の一部分に接触する。伸縮吸収部は蛍光管の長手方向へリード支持固定部が移動可能なように、固定部とリード支持固定部とを連結する。
【０００４】
固定ハウジングは端子を収容し、端子の固定部が固定されるとともに、インバータ基板の一部分を受け容れる。
【０００５】
可動ハウジングは固定ハウジングに移動可能に装着される。
【０００６】
蓋体は可動ハウジングに回転可能に取り付けられる。
【０００７】
上述のコネクタを用いてインバータ基板と蛍光管とを電気的に接続させるには、まず、固定ハウジングの基板挿入口にインバータ基板の一部を挿入し、インバータ基板を端子の基板接触部に接触させる。
【０００８】
次に、蓋体を回転させて蓋体を開き、可動ハウジングの上方から端子のリード支持固定部に蛍光管のリード線を接触させる。
【０００９】
その後、蓋体を逆方向へ回転させて蓋体を閉じる。このとき、蓋体の内面はリード支持固定部を押圧し、リード支持固定部はリード線を挟持する。その結果、インバータ基板と蛍光管とが電気的に接続され、インバータ基板から蛍光管に電力が供給され、蛍光管が点灯する。
【００１０】
蛍光管が点灯すると、蛍光管に熱が発生し、その熱によって蛍光管がその長手方向へ熱膨張する。
【００１１】
蛍光管の熱膨張に応じて端子の伸縮吸収部が蛍光管の長手方向へ伸長するため、蛍光管の熱膨張に端子のリード支持固定部が追随し、蛍光管の破損が起きにくくなる。
【先行技術文献】
【特許文献】
【００１２】
【特許文献１】特開２００８−２０４６５７号公報
【発明の概要】
【発明が解決しようとする課題】
【００１３】
上述のコネクタでは、基板接触部は固定部に動かないように連なるので、インバータ基板が熱膨張したとき、基板接触部がインバータ基板上を相対的に摺動し、基板接触部の表面やインバータ基板の表面が削れ、基板接触部とインバータ基板との間の電気抵抗が高くなるという問題が生じる。
【００１４】
この発明はこのような事情に鑑みてなされたもので、その課題は基板の伸縮による第２接触部の基板に対する位置ずれを抑制することができるコンタクト及びコネクタを提供することである。
【課題を解決するための手段】
【００１５】
前述の課題を解決するため請求項１の発明は、蛍光管の電極と基板とを導通させるコンタクトにおいて、固定部と、前記蛍光管の電極に接触する第１接触部と、前記基板の一部分に接触する第２接触部と、前記蛍光管の長手方向へ前記第１接触部が移動可能なように、前記固定部と前記第１接触部とを連結する第１連結部と、前記基板の平面と平行で前記長手方向と直交する第１方向へ前記第２接触部が移動可能なように、前記固定部と前記第２接触部とを連結する第２連結部とを備えていることを特徴とする。
【００１６】
上述のように、基板の平面と平行で蛍光管の長手方向と直交する第１方向へ第２接触部が移動可能なように、固定部と第２接触部とを第２連結部で連結したので、温度変化による基板の第１方向の伸縮に第２接触部が追従する。
【００１７】
請求項２の発明は、請求項１記載のコンタクトにおいて、前記固定部と前記第１接触部とが前記長手方向に沿って並ぶとともに、前記固定部が前記第１接触部の前記蛍光管配置側と反対側に位置していることを特徴とする。
【００１８】
請求項３の発明は、請求項１又は２記載のコンタクトにおいて、前記第２連結部が、前記固定部に連なり、前記第１方向と平行な第１水平部と、この第１水平部に連なり、前記長手方向と前記第１方向とに直交する第２方向と平行な第１垂直部と、この第１垂直部に連なり、前記第１方向と平行な第２水平部と、この第２水平部に連なり、前記第２方向と平行な第２垂直部とを有していることを特徴とする。
【００１９】
請求項４の発明は、請求項３記載のコンタクトにおいて、前記第２接触部が前記長手方向に沿って前記第２垂直部に連なることを特徴とする。
【００２０】
請求項５の発明は、請求項１〜４のいずれか１項記載のコンタクトにおいて、前記第２水平部が、前記第１方向に沿って伸縮可能なジグザグ状であることを特徴とする。
【００２１】
請求項６の発明は、請求項１〜５のいずれか１項記載のコンタクトにおいて、前記第２接触部が前記第２方向から挟持するクリップ状であることを特徴とする。
【００２２】
請求項７の発明のコネクタは、請求項１〜６のいずれか１項記載のコンタクトを収容し、前記固定部が固定されるとともに、前記基板の一部分を受け容れる固定ハウジングを備えていることを特徴とする。
【００２３】
請求項８の発明は、請求項７記載のコネクタにおいて、前記固定ハウジング内に移動可
能に装着され、前記第１接触部と前記蛍光管の電極との接触力を調節する可動ハウジングを備えていることを特徴とする。
【発明の効果】
【００２４】
この発明によれば、基板の伸縮による第２接触部の基板に対する位置ずれを抑制することができる。
【図面の簡単な説明】
【００２５】
【図１】図１は第１実施形態に係るコネクタの使用状態を示す斜視図である。
【図２】図２は図１に示すコネクタ、蛍光管、プリント基板及び背面板を分離した状態を示す斜視図である。
【図３】図１に示すコネクタの分解斜視図である。
【図４】図１に示すコネクタのコンタクトの斜視図である。
【図５】図１に示すコネクタの一対のコンタクトに蛍光管を接続した状態を示す斜視図である。
【図６】図６は図１に示すコネクタの右側部をプリント基板等ともに切断した状態を示す斜視図である。
【図７】図７は図１に示すコネクタの後部をプリント基板等ともに切断した状態を示す斜視図である。
【図８】図８は図１に示すコネクタ等の縦断面図である。
【図９】図９は図２に示すコネクタを背面板に取り付けた状態を示す正面図である（但し、背面板は切断されている。）。
【図１０】図１０は図９に示すコネクタの側面図である。
【図１１】図１１は図１に示すコネクタのコンタクトと固定ハウジングの関係を示す斜視図である。
【図１２】図１２は図１に示すコネクタの可動ハウジングが固定ハウジングに押し込まれる前の状態の断面図である。
【図１３】図１３は図１に示すコネクタの可動ハウジングが固定ハウジングに押し込まれた後の状態の断面図である。
【図１４】図１４はこの発明の第２実施形態に係るコネクタのコンタクトの斜視図である。
【発明を実施するための形態】
【００２６】
以下、この発明の実施の形態を図面に基づいて説明する。図１、図２、図５、図６、図１１中には、蛍光管２１の全体が描かれておらず、蛍光管２１の一端部だけが描かれている。なお、後述する実施形態では、蛍光管２１の長手方向Ｌをコネクタ１（又はコンタクト３）の前後方向、蛍光管２１の長手方向Ｌと直交する第１の方向Ｄ１をコネクタ１（又はコンタクト３）の左右方向、蛍光管２１の長手方向Ｌ及び第１の方向Ｄ１と直交する第２の方向Ｄ２をコネクタ１（又はコンタクト３）の上下方向とする。
【００２７】
この発明の第１実施形態のコネクタ１を図１〜図１３に基づいて説明する。
【００２８】
図１、図２に示すように、コネクタ１は背面板２３に取り付けられ、蛍光管２１の電極２１１とプリント基板（基板）２２とを電気的に接続させるものである。
【００２９】
図３に示すように、コネクタ１は一対のコンタクト３，３´と固定ハウジング５と可動ハウジング７とを備える。
【００３０】
図４に示すように、コンタクト３は固定部３１と第１接触部３３と第２接触部３４と第１連結部３５と第２連結部３６とを有する。コンタクト３は導電性及び弾性を有する１つの金属板に打抜き加工及び曲げ加工を施すことによって形成されている。
【００３１】
固定部３１はほぼ板状であり、上下方向へ延びる。固定部３１の板面が前後方向を向いている。固定部３１の左右両側部にそれぞれ２つの突起３１ａがある。
【００３２】
第１接触部３３はほぼｒ字形であり、蛍光管２１の電極２１１を挟んで、電極２１１に接触する。第１接触部３３は第１接触片３３１と第２接触片３３２と係合片３３３とを有する。第１接触片３３１は平板状である。第１接触片３３１と第２接触片３３２とは上下方向へ延び、それらの下半分はすき間を介して対向する。第２接触片３３２の上半分と下半分との境界部分が折り曲げられ、第２接触片３３２の上半分は第１接触片３３１から離れるように傾いている。第２接触片３３２の中間部分と第１接触片３３１の中間部分とで、
蛍光管２１の電極２１１を挟持するための電極挟持部３３４が構成される。第２接触片３３２の下端は第１接触片３３１の下端に連なる。係合片３３３は第２接触片３３２の上端に連なる。係合片３３３と第２接触片３３２との境界部分が折り曲げられ、係合片３３３は斜め下方へ延びる。
【００３３】
第２接触部３４はほぼクリップ状であり、プリント基板２２の挿入部（一部分）２２２（図２参照）を第２方向Ｄ２（上下方向）から挟持する。第２接触部３４は第１接触片３４１と第２接触片３４２と連結片３４３とを有する。第１接触片３４１と第２接触片３４２とは上下方向で対向し前後方向へ延びている。第１接触片３４１の前端部に挿入部２２２の上面に接触する接触部３４１ａがある。第２接触片３４２の前端部に挿入部２２２の下面に接触する接触部３４２ａがある。連結片３４３は第１接触片３４１の後端部と第２接触片３４２の後端部とを連結する。
【００３４】
第１連結部３５は、蛍光管２１の長手方向Ｌ（前後方向）へ第１接触部３３が移動可能なように、固定部３１と第１接触部３３とを連結する。第１連結部３５は第１板状部３５１と伸縮部３５２と第２板状部３５３と第３板状部３５４とを有する。第１板状部３５１は固定部３１の下端部に連なり、固定部３１に対して第１板状部３５１の板面は直角である。伸縮部３５２はジグザグ状（蛇行しながら蛍光管２１の長手方向Ｌへ延びる形状）であり、第１板状部３５１に連なる。第２板状部３５３は伸縮部３５２に連なり、Ｌ字形に折り曲げられている。第２板状部３５３の前側部分は上方へ立ち上がる立ち上がり板部３５３ａである。なお、図４のコンタクト３の右が前で、左が後である。第１板状部３５１、伸縮部３５２及び第２板状部３５３は蛍光管２１の長手方向Ｌへ連なる。第３板状部３５４は、第２板状部３５３の立ち上がり板部３５３ａの右側側部（コンタクト３を前方から見たときの立ち上がり板部３５３ａの右側の側部）から後方へ延び、第２接触片３３２の下部に連なる。
【００３５】
第２連結部３６は、プリント基板２２と平行で第１方向Ｄ１（左右方向）へ第２接触部３４が移動可能なように、固定部３１と第２接触部３４とを連結している。第２連結部３６は、第１水平部３６１と第１垂直部３６２と第２水平部３６３と第２垂直部３６４とを有する。第１水平部３６１は板状であり、第１板状部３５１に連なり、その左側側部（コンタクト３を前方から見たときの第１板状部３５１の左側の側部）から左方（コンタクト３を前方から見たときの左方）へ延びている。第１垂直部３６２は板状であり、第１水平部３６１の左側側部に連なり、下方へ延びている。第２水平部３６３は板状であり、第１垂直部３６２の下端部に連なり、右方（コンタクト３を前方から見たときの右方）へ延びている。第２垂直部３６４は板状であり、第２水平部３６３の右端部（コンタクト３を前方から見たときの第２水平部３６３の右端の部分）に連なり、上方へ延びている。第２垂直部３６４の前側側部は前方へやや張り出しており、その前側側部に第２接触部３４の連結片３４３の右側側部が連なる。第２接触部３４は第２連結部３６の前方に位置し、第１垂直部３６２が第１方向Ｄ１（左右方向）に弾性変形（撓み）することにより第２接触部３４が左右方向へ移動可能である。
【００３６】
固定部３１と第１接触部３３とが長手方向Ｌ（前後方向）に沿って並ぶ。固定部３１は第１接触部３３の蛍光管配置側（蛍光管２１が配置されている側）と反対側（蛍光管２１が配置されていない側）に位置している。つまり、固定部３１は第１接触部３３の後方に位置している。
【００３７】
図５に示すように、コンタクト３´の形状はコンタクト３を鏡に映したときその鏡に映し出されたコンタクトの形状（コンタクト３の左右が逆になった形状）と同じであり、コンタクト３´の基本的な構造はコンタクト３との構造と共通する。したがって、コンタクト３と共通する部分には同一符号を付して、その説明を省略する。
【００３８】
図３、図６〜図１３に示すように、固定ハウジング５は一対のコンタクト３，３´を収容する。固定ハウジング５にはコンタクト３，３´の固定部３１が固定される（図１１参照）。
【００３９】
固定ハウジング５は箱状のハウジング本体５６と開口部５０と基板挿入孔５１と段差面５２と一対の突起部５３，５３と切欠き５４と一対の圧入部５５，５５とを有する。開口部５０はハウジング本体５６の上部に形成されている。基板挿入孔５１はハウジング本体５６の前壁下部に形成されている。基板挿入孔５１を通じてプリント基板２２の挿入部２２２が固定ハウジング５内に挿入される。段差面５２はハウジング本体５６の前壁、後壁及び左右側壁に形成され、背面板２３の窓孔２３１の周辺部に支持される。一対の突起部５３，５３はハウジング本体５６の左右側壁に形成されている。突起部５３，５３は背面板２３の窓孔２３１の周辺部に対向する。切欠き５４はハウジング本体５６の前壁上部に形成され、蛍光管２１をコネクタ１に接続する際に固定ハウジング５と蛍光管２１との干渉を避ける。一対の圧入部５５はハウジング本体５６の後壁内面に形成されている。圧入部５５，５５は上下方向へ延びる溝であり、その溝の左右内面に設けられた圧入溝５５ａに固定部３１の両側部を圧入して突起３１ａを食い込ませることで、コンタクト３，３´を基板挿入孔５１に固定させる。コンタクト３，３´の第２接触部３４の接触部３４１ａ，３４２ａは基板挿入孔５１に臨んでおり、基板挿入孔５１を介して接触部３４１ａ，３４２ａ間にプリント基板２２の挿入部２２２を挿入することにより、プリント基板２２をコネクタ１に接続することができる。
【００４０】
可動ハウジング７は固定ハウジング５内に上下方向及び前後方向へ移動可能に装着されている。可動ハウジング７は、コンタクト３，３´の第１接触部３３，３３と蛍光管２１の電極２１１，２１１との接触力を調節するとともに、蛍光管２１の長手方向Ｌ（前後方向）への伸縮により生じる第１接触部３３の同方向への移動を許容する。
【００４１】
可動ハウジング７は、中央壁７５の前側に位置する蛍光管収容室７４と、中央壁７５の後側に位置する一対の第１接触部収容室７１，７１とを有する。
【００４２】
蛍光管収容室７４の上面及び前面が開放されており、蛍光管２１をコネクタ１に接続したとき、蛍光管２１の端部が蛍光管収容室７４に収容される。
【００４３】
第１接触部収容室７１，７１は上下方向へ貫通した２つの貫通穴であり、第１接触部収容室７１，７１の間に仕切り壁７２がある。第１接触部収容室７１，７１はコンタクト３，３´の第１接触部３３，３３を収容する。第１接触部収容室７１，７１の仕切り壁７２と対向する内面にはカム面７１１が形成されている。カム面７１１は、上側の面７１１ｂと、上側の面７１１ｂより外側に位置する下側の面７１１ｃと、上側の面７１１ｂと下側の面７１１ｃとの間に位置する傾斜面７１１ａとで構成される。
【００４４】
中央壁７５には、仕切り壁７２の両側面に沿うようにして中央壁７５の上端から下方へ延びる一対の電極挿通溝７３，７３が形成されている。電極挿通溝７３，７３は、蛍光管２１をコンタクト３，３´に接続する際に、蛍光管２１の電極２１１，２１１との干渉を避ける逃げ溝となる。
【００４５】
図９、図１０に示すように、固定ハウジング５の下部を背面板２３の窓孔２３１に挿入すると、段差面５２の下面と突起部５３の上面とで背面板２３の窓孔２３１の周辺部分が挟まれる。その結果、固定ハウジング５は背面板２３に固定される。
【００４６】
次に、上述のコネクタの使用法を説明する。
【００４７】
図１２に示すように、可動ハウジング７の下部を固定ハウジング５の開口部５０に挿入し、可動ハウジング７の第１接触部収容室７１，７１にコンタクト３，３´の第１接触部３３，３３を収容する。このとき、可動ハウジング７の電極挿通溝７３は、第１接触片３３１と第２接触片３３２との間に形成される電極挿入部３３５に前後方向で対向している。
【００４８】
コンタクト３，３´の第１接触片３３１が仕切り壁７２に沿って相対移動するとともに、係合片３３３の先端がカム面７１１上を相対摺動する。
【００４９】
また、第１接触片３３１と第２接触片３３２との間の電極挿入部３３５が電極挿通溝７３に対向しつつ、相対移動する。
【００５０】
上述のコネクタ１の使用に際しては、まず、図１２に示すように、蛍光管２１の電極２１１を第１接触片３３１と第２接触片３３２との間に挿入して電極挟持部３３４に突き当てる。このとき、蛍光管２１の端部は固定ハウジング５の切欠き５４及び可動ハウジングの蛍光管収容室７４に入る。また、可動ハウジング７のカム面７１１の下側の面７１１ｃにコンタクト３，３´の係合片３３３の先端部が位置して傾斜面７１１ａに係合し、可動ハウジング７の上半分が固定ハウジング５から上方へ突出した状態になる。
【００５１】
次に、可動ハウジング７を押し下げる。可動ハウジング７を押し下げると、図１３に示すように、係合片３３３の先端部がカム面７１１の下側の面７１１ｃから傾斜面７１１ａを通って上側の面７１１ｂに相対移動する。その結果、第２接触片３３２の先端部が第１接触片３３１側に押圧されて移動し、可動ハウジング７を押し下げる前より大きな力で蛍光管２１の電極２１１が第１接触片３３１と第２接触片３３２とで挟持され、電極２１１と第１接触部３３との間の接触力が大きくなる。このようにして蛍光管２１とプリント基板２２とがより確実に接続され、蛍光管２１が点灯する。
【００５２】
なお、可動ハウジング７が押し下げられた状態では、係合片３３３の先端部が傾斜面７１１ａと上側の面７１１ｂとの境界部分に設けられた係合突起７１１ｄに係合しているので、可動ハウジング７が押し下げられた状態が維持される。また、可動ハウジング７の下面はコンタクト３，３´の伸縮部３５２に上下方向で近接かつ対向し、第３板状部３５４が可動ハウジング７の下壁に設けられた逃げ溝７６に入っている。
【００５３】
第１実施形態によれば、蛍光管２１が熱膨張し、電極２１１が長手方向Ｌに沿って伸長したとき、コンタクト３，３´の伸縮部３５２が伸長し、第１接触部３３及びこれを収納した可動ハウジング７が固定ハウジング５に対し蛍光管２１の長手方向Ｌである前後方向へ移動する。その結果、蛍光管２１の熱膨張による破損を防止できる。
【００５４】
また、蛍光管２１の発熱によりプリント基板２２はプリント基板２２の長手方向と平行な第１方向Ｄ１（左右方向）へ熱膨張し、プリント基板２２上のパッド等（図示せず）が移動するが、第２連結部３６の第１垂直部３６２が撓むため、第２接触部３４がパッドの動きに追従する。その結果、第２接触部３４によってパッドが削られるのを防止できるとともに、第２接触部３４とパッドとの位置ずれを防止でき、電気抵抗が増えるのを抑制できる。
【００５５】
更に、第２連結部３６の第２垂直部３６４に第２接触部３４の連結片３４３を連結して第２連結部３６と第２接触部３４とを長手方向Ｌ（前後方向）に沿って並べているので、第１垂直部３６２の長さを比較的長くして第２連結部３６の弾性変形（撓み）能力を高め、プリント基板２２上のパッドに対する第２接触部３４の追従性を高めても、コンタクト３の高さを低くでき、コンタクト１の低背化を達成できる。
【００５６】
また、固定部３１が第１接触部３３の蛍光管２１配置側と反対側（後方）に位置し、固定部３１と第１接触部３３とが長手方向Ｌ（前後方向）に沿って並んでいるので、コンタクト３の高さを更に低くすることができ、コネクタ１の小型化を達成できる。
【００５７】
更に、第２接触部３４がクリップ状であるので、プリント基板２２の挿入部２２２をより確実に挟持できる。
【００５８】
この発明の第２実施形態のコネクタのコンタクト２０３を図１４に基づいて説明する。第１実施形態と共通する部分には同一符号を付して、その説明を省略する。
【００５９】
コンタクト２０３の第２連結部２３６の第２水平部２３６３は後述するようにジグザグ状であるので、コンタクト２０３と第１実施形態のコンタクト３とは異なる。
【００６０】
第２連結部２３６は第１水平部３６１と第１垂直部２３６２と第２水平部２３６３と第２垂直部２３６４とで構成されている。第１垂直部２３６２の上端は第１水平部３６１に連なり、第１垂直部２３６２の下端は第２水平部２３６３の左端（コンタクト２０３を前方から見たときの第２水平部２３６３の左の端）に連なる。第２水平部２３６３はジグザグ状に形成されている。第２垂直部２３６４の上端は第２水平部２３６３の右端（コンタクト２０３を前方から見たときの第２垂直部２３６４の右の端）に連なり、第２垂直部２３６４の前側側部に第２接触部３４の連結片３４３の右側側部（コンタクト２０３を前方から見たときの連結片３４３の右側の側部）が連結されている。
【００６１】
第１実施形態では、主に第１垂直部３６２がその厚さ方向へ撓むことによって第２接触部３４が第１方向Ｄ１（左右方向）のプリント基板２２の伸縮に追従できるように構成されているが、第２実施形態では、主に第２水平部２３６３が第１方向Ｄ１（左右方向）へ伸長又は収縮することによって第２接触部３４がプリント基板２２の伸縮に追従できるように構成されている。
【００６２】
第２実施形態によれば、第１実施形態と同様の効果を奏する。
【００６３】
なお、第１、第２実施形態のコネクタ１は固定ハウジング５と可動ハウジング７とを備えるが、例えば、コンタクト３，２０３の固定部３１を直接背面板２３に固定させるようにすれば、固定ハウジング５及び可動ハウジング７を省略することもできるし、また、固定ハウジング５又は可動ハウジング７の一方を採用することもできる。
【符号の説明】
【００６４】
１  コネクタ
３，２０３  コンタクト
３１  固定部
３３  第１接触部
３４  第２接触部
３５  第１連結部
３６，２３６  第２連結部
３６１  第１水平部
３６２，２３６２  第１垂直部
３６３，２３６３  第２水平部
３６４，２３６４  第２垂直部
５  固定ハウジング
７  可動ハウジング
２１  蛍光管
２１１  電極
２２  プリント基板（基板）
２２２  挿入部
【手続補正２】
【補正対象書類名】特許請求の範囲
【補正対象項目名】全文
【補正方法】変更
【補正の内容】
【特許請求の範囲】
【請求項１】
蛍光管の電極と基板とを導通させるコンタクトにおいて、
固定部と、
前記蛍光管の電極に接触する第１接触部と、
前記基板の一部分に接触する第２接触部と、
前記蛍光管の長手方向へ前記第１接触部が移動可能なように、前記固定部と前記第１接触部とを連結する第１連結部と、
前記基板の平面と平行で前記長手方向と直交する第１方向へ前記第２接触部が移動可能なように、前記固定部と前記第２接触部とを連結する第２連結部と
を備えていることを特徴とするコンタクト。
【請求項２】
前記固定部と前記第１接触部とが前記長手方向に沿って並ぶとともに、前記固定部が前記第１接触部の前記蛍光管配置側と反対側に位置していることを特徴とする請求項１記載のコンタクト。
【請求項３】
前記第２連結部が、前記固定部に連なり、前記第１方向と平行な第１水平部と、この第１水平部に連なり、前記長手方向と前記第１方向とに直交する第２方向と平行な第１垂直部と、この第１垂直部に連なり、前記第１方向と平行な第２水平部と、この第２水平部に連なり、前記第２方向と平行な第２垂直部とを有していることを特徴とする請求項１又は２記載のコンタクト。
【請求項４】
前記第２接触部が前記長手方向に沿って前記第２垂直部に連なることを特徴とする請求項３記載のコンタクト。
【請求項５】
前記第２水平部が、前記第１方向に沿って伸縮可能なジグザグ状であることを特徴とする請求項１〜４のいずれか１項記載のコンタクト。
【請求項６】
前記第２接触部が前記第２方向から挟持するクリップ状であることを特徴とする請求項１〜５のいずれか１項記載のコンタクト。
【請求項７】
請求項１〜６のいずれか１項記載のコンタクトを収容し、前記固定部が固定されるとともに、前記基板の一部分を受け容れる固定ハウジングを備えていることを特徴とするコネクタ。
【請求項８】
前記固定ハウジング内に移動可能に装着され、前記第１接触部と前記蛍光管の電極との接触力を調節する可動ハウジングを備えていることを特徴とする請求項７記載のコネクタ。
【手続補正４】
【補正対象書類名】図面
【補正対象項目名】図３
【補正方法】変更
【補正の内容】
【図３】
2011018595.tif 000017
【手続補正５】
【補正対象書類名】図面
【補正対象項目名】図４
【補正方法】変更
【補正の内容】
【図４】
2011018595.tif 000018
【手続補正６】
【補正対象書類名】図面
【補正対象項目名】図１３
【補正方法】変更
【補正の内容】
【図１３】
2011018595.tif 000019